(57)【要約】２つ以上のＣＤＭＡチャネルを利用して通信を行う移動通信システムに適用できるＣＤＭＡチャネル割り当て方法は、特定移動局に対応する各アクティブセクタに、独立して少なくとも１つのＣＤＭＡチャネル（すなわち、周波数割り当て）をそれぞれ割り当てる段階と、前記割り当てられたＣＤＭＡチャネルを利用してパケットデータを伝送する段階とを含む。本発明は、ＨＲＰＤ（Ｈｉｇｈ  Ｒａｔｅ  Ｐａｃｋｅｔ  Ｄａｔａ）のような移動通信システムにおいて、各アクティブセクタに効率的な方式でＣＤＭＡチャネル（周波数割り当て）を割り当てる方法を提供し、割り当てられたＣＤＭＡチャネルのうち１つは、制御信号の伝送のために選択されて利用される。
2009505558.tif 000002
【特許請求の範囲】
【請求項１】
２つ以上のＣＤＭＡチャネルを利用して通信を行う移動通信システムに適用できるＣＤＭＡチャネル割り当て方法において、
特定移動局に対応する各アクティブセクタに対して、独立した方式でＣＤＭＡチャネルを割り当て、各アクティブセクタが少なくとも１つのＣＤＭＡチャネルをそれぞれ割り当てる段階と、
前記割り当てられたＣＤＭＡチャネルを利用してパケットデータを伝送する段階と
を含むことを特徴とするＣＤＭＡチャネル割り当て方法。
【請求項２】
２つ以上のチャネルに関する情報及びＣＤＭＡチャネルが割り当てられたアクティブセクタに関する情報を含むメッセージを送信する段階をさらに含むことを特徴とする請求項１に記載のＣＤＭＡチャネル割り当て方法。
【請求項３】
前記メッセージは、
トラヒックチャネル割り当てメッセージであることを特徴とする請求項２に記載のＣＤＭＡチャネル割り当て方法。
【請求項４】
前記トラヒックチャネル割り当てメッセージは、
アクティブセクタの数及びＣＤＭＡチャネルの数に関する情報を含むことを特徴とする請求項３に記載のＣＤＭＡチャネル割り当て方法。
【請求項５】
前記トラヒックチャネル割り当てメッセージは、
各アクティブセクタに関するパイロットＰＮ情報及びＤＲＣカバー情報をさらに含むことを特徴とする請求項４に記載のＣＤＭＡチャネル割り当て方法。
【請求項６】
前記トラヒックチャネル割り当てメッセージは、
各ＣＤＭＡチャネルに関する情報及び１つ以上のＣＤＭＡチャネルが割り当てられたアクティブセクタに関する情報をさらに含むことを特徴とする請求項５に記載のＣＤＭＡチャネル割り当て方法。
【請求項７】
前記トラヒックチャネル割り当てメッセージは、
各アクティブセクタに関する情報及び各アクティブセクタに割り当てられる各ＣＤＭＡチャネルに関する情報をさらに含むことを特徴とする請求項５に記載のＣＤＭＡチャネル割り当て方法。
【請求項８】
前記移動通信システムは、
Ｎｘ  Ｈｉｇｈ  Ｒａｔｅ  Ｐａｃｋｅｔ  Ｄａｔａシステムであることを特徴とする請求項１に記載のＣＤＭＡチャネル割り当て方法。
【請求項９】
割り当てられた複数のＣＤＭＡチャネルのうち１つは、
フォワードリンク制御信号の伝送のために選択されて利用されることを特徴とする請求項１に記載のＣＤＭＡチャネル割り当て方法。
【請求項１０】
２つ以上のＣＤＭＡチャネルを利用して通信を行う移動通信システムに適用できるＣＤＭＡチャネル割り当て方法において、
前記移動局のアクティブセクタのセクタにＣＤＭＡチャネルのセットを割り当てる段階と、
記割り当てられたＣＤＭＡチャネルを利用してパケットを伝送する段階と
を含むことを特徴とするＣＤＭＡチャネル割り当て方法。
【請求項１１】
前記割り当てられたＣＤＭＡチャネルに関する情報を含むトラヒックチャネル割り当てメッセージを送信する段階をさらに含むことを特徴とする請求項１０に記載のＣＤＭＡチャネル割り当て方法。
【請求項１２】
前記トラヒックチャネル割り当てメッセージは、
アクティブセルの数及びＣＤＭＡチャネルの数に関する情報を含む第１パートと、
各アクティブセクタの情報を含む第２パートと、
各ＣＤＭＡチャネルに割り当てられたアクティブセクタの情報を含む第３パートとを含むことを特徴とする請求項１１に記載のＣＤＭＡチャネル割り当て方法。
【請求項１３】
前記トラヒックチャネル割り当てメッセージは、
アクティブセルの数及びＣＤＭＡチャネルの数に関する情報を含む第１パートと、
各アクティブセクタの情報を含む第２パートと、
各アクティブセクタに割り当てられるＣＤＭＡチャネルの情報を含む第３パートとを含むことを特徴とする請求項１２に記載のＣＤＭＡチャネル割り当て方法。
【請求項１４】
前記アクティブセクタを含むアクティブセクタリストを更新する段階と、
前記更新されたアクティブセクタに割り当てられたＣＤＭＡチャネルの情報を含むトラヒックチャネル割り当てメッセージを送信する段階とをさらに含むことを特徴とする請求項１０に記載のＣＤＭＡチャネル割り当て方法。
【請求項１５】
割り当てられた複数のＣＤＭＡチャネルのうち１つは、
フォワードリンク制御信号の伝送のために選択されて利用されることを特徴とする請求項１０に記載のＣＤＭＡチャネル割り当て方法。
【請求項１６】
２つ以上のＣＤＭＡチャネルを利用して通信を行う移動通信システムに適用できるＣＤＭＡチャネル割り当て方法において、
特定移動局に対応する各アクティブセクタに対して独立して割り当てられたＣＤＭＡチャネルに関する情報を含むトラヒックチャネル割り当てメッセージを受信する段階と、
前記受信されたトラヒックチャネル割り当てメッセージによって前記ＣＤＭＡチャネルを利用して基地局からパケットデータを受信する段階と
を含むことを特徴とするＣＤＭＡチャネル割り当て方法。
【請求項１７】
移動通信ネットワークで信号を送受信する送受信機と、
前記移動局に対応する各アクティブセクタに対して前記ネットワークにより独立して割り当てられたトラヒックチャネルに関する情報を前記送受信機により受信し、前記受信された情報に基づいて前記送受信機により、前記トラヒックチャネルを利用して前記ネットワークからパケットデータを受信するプロセッサと
を含むことを特徴とする移動局。
【請求項１８】
前記アクティブセクタは、単一セルの１つ以上の領域、又は２つ以上の異なるセルの１つ以上の領域の組み合わせを意味し、前記アクティブセクタは、前記移動局への最強リンクを有し、高速セル選択方法を可能にすることを特徴とする請求項１７に記載の移動局。
【請求項１９】
前記情報は、
トラヒックチャネル割り当てを示すメッセージにより前記ネットワークから受信されることを特徴とする請求項１８に記載の移動局。
【請求項２０】
前記プロセッサは、
前記送受信機と連動して高速データレートサービスを管理できるＣＤＭＡチャネルの総数を示すメッセージを前記ネットワークから受信し、前記受信は、トラヒックチャネル割り当てを示すメッセージの受信前に行われることを特徴とする請求項１９に記載の移動局。
【請求項２１】
前記プロセッサは、
前記送受信機と連動して前記アクティブセクタに関する情報を含むメッセージを前記ネットワークに送信し、前記送信は、トラヒックチャネル割り当てを示すメッセージの受信前に行われることを特徴とする請求項２０に記載の移動局。
【請求項２２】
前記送信は、
ＣＤＭＡチャネルの総数を示す前記受信されたメッセージに応えて行われることを特徴とする請求項２１に記載のＣＤＭＡチャネル割り当て方法。
【請求項２３】
前記送信は、
前記移動局がアイドルモードから接続状態に移行する場合、又は、前記接続状態でアクティブセクタリストが更新される場合に行われることを特徴とする請求項２２に記載のＣＤＭＡチャネル割り当て方法。
【請求項２４】
前記移動通信ネットワークは、ＣＤＭＡネットワークであり、前記トラヒックチャネルは、ＣＤＭＡチャネルであることを特徴とする請求項１７に記載の移動局。
【請求項２５】
前記割り当てられた複数のトラヒックチャネルのうち１つのトラヒックチャネルが、
各アクティブセクタのために前記ネットワークにより独立して選択され、制御信号を受信するために利用されることを特徴とする請求項１７に記載のＣＤＭＡチャネル割り当て方法。
【発明の詳細な説明】
【技術分野】
【０００１】
本発明は、ＣＤＭＡチャネルの割り当て方法に関し、より詳しくは、各アクティブセクタにＣＤＭＡチャネルを独立して割り当てる方法に関する。
【背景技術】
【０００２】
高速パケットデータ（Ｈｉｇｈ  Ｒａｔｅ  Ｐａｃｋｅｔ  Ｄａｔａ：ＨＲＰＤ）は、高速、高容量データ伝送に最適化した無線アクセス技術の標準である。前記ＨＲＰＤシステムは、符号分割多元接続（Ｃｏｄｅ  Ｄｉｖｉｓｉｏｎ  Ｍｕｌｔｉｐｌｅ  Ａｃｃｅｓｓ：ＣＤＭＡ）技術及び時分割多重化（Ｔｉｍｅ  Ｄｉｖｉｓｉｏｎ  Ｍｕｌｔｉｐｌｅｘｉｎｇ：ＴＤＭ）技術を適用して移動局にデータを伝送する。従って、ＨＲＰＤシステムは、向上したデータ伝送速度と容量により、無線インターネット接続、リアルタイム交通情報、無線生放送、映画、ゲームなどの多様な応用技術分野でマルチメディアコンテンツを提供できる。
【０００３】
Ｎｘ  ＨＲＰＤシステムは、より高速で大容量データを伝送するために、１つの移動局に１つ以上のＣＤＭＡチャネル（すなわち、ｆｒｅｑｕｅｎｃｙ  ａｓｓｉｇｎｍｅｎｔ：周波数（帯域）割り当て）を割り当ててパケットを伝送する。すなわち、マルチキャリアを利用してパケットを伝送する方式を用いる。
【発明の開示】
【発明が解決しようとする課題】
【０００４】
従来技術によれば、マルチキャリアを利用してパケットを伝送するシステムにおいて、アクティブセクタに同一のＣＤＭＡチャネル（周波数割り当て）が割り当てられる。すなわち、現在特定移動局にパケットデータを伝送しているサービングセクタと同じように行う、他の全てのアクティブセクタへのＣＤＭＡチャネル（周波数割り当て）割り当ては、無線リソース管理の観点から見ると、非効率的であるという問題があった。
【０００５】
また、従来技術において、前記割り当てられたＣＤＭＡチャネル（ｆｒｅｑｕｅｎｃｙ  ａｓｓｉｇｎｍｅｎｔ；ＦＡ）を利用してデータが伝送されると、多くのＣＤＭＡチャネル（ＦＡ）のどのＣＤＭＡチャネルを利用して制御メッセージを伝送するかが決定されていない。しかし、制御信号はトラヒックデータに比べて重要度が高いので、制御信号をより効率的な方式で伝送する必要がある。
【課題を解決するための手段】
【０００６】
本発明は、前述したような従来技術の問題を解決するために開発された。その結果、本発明は、ＨＲＰＤ（Ｈｉｇｈ  Ｒａｔｅ  Ｐａｃｋｅｔ  Ｄａｔａ）のような移動通信システムにおいて、各アクティブセクタに効率的な方式でＣＤＭＡチャネル（周波数割り当て）を割り当てる方法を提供する。前記割り当てられたＣＤＭＡチャネルのうち１つは、制御信号の伝送のために選択されて利用される。
【発明を実施するための最良の形態】
【０００７】
本発明の一態様は、前述したような従来の問題に対する本発明者らの認識を含み、詳細に後述される。このような認識に基づいて、本発明の特徴が改善されている。
【０００８】
従来技術の問題を解決するために、本発明は、２つ以上のＣＤＭＡチャネルを利用して通信を行う移動通信システムに適用できるＣＤＭＡチャネル（周波数割り当て）割り当て方法を提供し、前記方法は、特定移動局に対応する各アクティブセクタに、独立して少なくとも１つのＣＤＭＡチャネル（周波数割り当て）を割り当てる段階と、前記割り当てられたＣＤＭＡチャネル（周波数割り当て）を利用してパケットデータを伝送する段階とを含む。
【０００９】
本発明の多様な特徴及び態様は、添付図面に関して後述する説明でより明確になる。以下、添付図面を参照して本発明の実施形態について説明する。
【００１０】
図１は、本発明による移動局と基地局間のメッセージ送受信過程の一例を示すフローチャートである。
【００１１】
図１を参照すれば、基地局は、移動局に高速データレートサービスが可能な周波数割り当て（ＦＡ）（又は、ＣＤＭＡチャネル）の総数に関する情報を伝送する。ここで、前記ＣＤＭＡチャネル（ＦＡ）の総数に関する情報は、セクタパラメータメッセージにより伝送できる（Ｓ１１）。
【００１２】
表１は、本発明に利用されるセクタパラメータメッセージの一例を示す。
【００１３】
【表１−１】
2009505558.tif 000003
【００１４】
【表１−２】
2009505558.tif 000004
図１を参照すれば、前記移動局がアイドルモードから接続状態に移行する場合、又は、前記接続状態でアクティブセクタリストが更新される場合、前記移動局は、アクティブセクタに関する情報を前記基地局に伝送する。前記アクティブセクタに関する情報は、ルートアップデートメッセージにより伝送できる（Ｓ１２）。
【００１５】
セルは、一般的に３つの領域（部分）に分けられる。アクティブセクタは、単一セルの１つ以上の領域又は異なる２つ以上のセルの１つ以上の領域の組み合わせとして定義できる。アクティブセクタは、前記移動局への最強リンクを有するといえる。このようなアクティブセクタは、高速セル選択方法（Ｆａｓｔ  Ｃｅｌｌ  Ｓｅｌｅｃｔｉｏｎ：ＦＣＳ）を可能にするように定義される。
【００１６】
高速セル選択方法（ＦＣＳ）が適用される場合、前記端末（移動局）は、ダウンリンクパケット伝送のための最適セルを推薦してこれをネットワークに知らせる。前記最適セルの決定は、無線伝送環境に基づくだけでなく、利用可能なリソース（例えば、前記アクティブセット内のセルのための電力及びコードスペース）も考慮される。異なる無線システムは、高速セル選択方法の実施、特に、次のダウンリンクパケット伝送のためのセル決定を端末が行うかネットワークが行うかが異なる。例えば、ＣＤＭＡ２０００  １ｘ  ＥＶ−ＤＯにおいてはネットワークが前記端末の推薦に従うが、ＣＤＭＡ２０００  １ｘ  ＥＶ−ＤＶにおいてはネットワークが利用可能なリソースも考慮して決定する。
【００１７】
以下の表２は、本発明によるルートアップデートメッセージの一例を示す。
【００１８】
【表２−１】
2009505558.tif 000005
【００１９】
【表２−２】
2009505558.tif 000006
図１を参照すれば、ルートアップデートメッセージにより前記アクティブセクタに関する情報を受信すると、前記基地局は、移動局にパケットデータ伝送のためのＣＤＭＡチャネル（ＦＡ）割り当て情報を伝送する。前記ＣＤＭＡチャネル（ＦＡ）割り当て情報は、トラヒックチャネル割り当てメッセージにより伝送できる（Ｓ１３）。
【００２０】
以下の表３は、トラヒックチャネル割り当てメッセージの一例を示す。
【００２１】
【表３−１】
2009505558.tif 000007
【００２２】
【表３−２】
2009505558.tif 000008
表３に示すように、異なる長さ（ビット）を有する多数のフィールドは、トラヒックチャネル割り当てに利用される多様なパラメータを記述するために使用される。一部のフィールドは、後述される非制限的な例に関して説明される。詳細に説明されない所定フィールドは、当業者にとって明確に理解されるであろう。
【００２３】
図２は、本発明の一実施形態による３つのセルから割り当てられて４つのセクタを有するアクティブセクタの一例を示す図である。しかし、これは単なる例示にすぎず、セル及びセクタの数は変化する。
【００２４】
図３は、本発明による各セクタに対する独立した方式でＣＤＭＡチャネル（周波数割り当て：ＦＡ）割り当て方法の一例を示す図である。図３は、３つのＣＤＭＡチャネル（ＦＡ）が４つのアクティブセクタに割り当てられる方法の一例を示す。
【００２５】
図２及び図３の実施形態において、移動局に対するアクティブセクタは、第１セクタ、第２セクタ、第３セクタ、及び第４セクタ（すなわち、セクタ１〜４）を有する。図３に示すように、ＣＤＭＡチャネル（ＦＡ）は、各アクティブセクタに独立して割り当てることができる。すなわち、セクタ１に対してはＦＡ１及びＦＡ２を割り当て、セクタ２に対してはＦＡ２及びＦＡ３を割り当てることができる。各アクティブセクタに対して割り当てられるＣＤＭＡチャネル（ＦＡ）の総数は異なってもよい。すなわち、図３に示すように、セクタ１及び２に対しては計２つのＣＤＭＡチャネル（ＦＡ）を割り当て、セクタ３に対しては１つのＣＤＭＡチャネル（ＦＡ）を割り当て、セクタ４に対しては計３つのＣＤＭＡチャネル（ＦＡ）を割り当てることができる。
【００２６】
ＣＤＭＡチャネル（周波数割り当て）の観点から見れば、ＦＡ１はセクタ１、３、及び４に割り当てられ、ＦＡ２はセクタ１、２、及び、４に割り当てられ、ＦＡ３はセクタ２及び４に割り当てられる。
【００２７】
前述したように、各アクティブセクタに独立してＣＤＭＡチャネル（ＦＡ）を割り当てる場合、全てのアクティブセクタに対して割り当てることができるＣＤＭＡチャネル（ＦＡ）の総数を予め決定し、各セクタなどのチャネル状況や負荷状況によって割り当てるＣＤＭＡチャネル（ＦＡ）の数を決定することができる。図５は、単一セクタに対して連続的なＣＤＭＡチャネル（ＦＡ）を割り当てる方法を示しているが、単一セクタにＦＡ１及びＦＡ３などのＣＤＭＡチャネル（ＦＡ）を不連続的に割り当てることもできる。
【００２８】
前述したように、各アクティブセクタに独立してＣＤＭＡチャネル（ＦＡ）が割り当てられる場合、移動局にＣＤＭＡチャネル（ＦＡ）割り当てに関する情報を伝送する必要がある。前記伝送する必要のあるＦＡ割り当て情報は、割り当てできる全体ＣＤＭＡチャネル（ＦＡ）に関する情報及び各セクタに割り当てられるＣＤＭＡチャネル（ＦＡ）に関する情報、又は各ＣＤＭＡチャネル（ＦＡ）に割り当てられるセクタに関する情報を含む。このＦＡ割り当て情報は、トラヒックチャネル割り当てメッセージにより伝送できる。
【００２９】
以下の表４は、トラヒックチャネル割り当てメッセージの一例を示す。
【００３０】
【表４−１】
2009505558.tif 000009
【００３１】
【表４−２】
2009505558.tif 000010
トラヒックチャネル割り当てメッセージは、特定移動局に対するアクティブセクタ割り当て情報及びアクティブセクタに割り当てるＣＤＭＡチャネル（ＦＡ）に関する情報を含む。
【００３２】
表４の例において、ＮｕｍＳｅｃｔｏｒｓフィールドは、現在特定移動局に対するアクティブセクタの数に関する情報を示す。ＮｕｍＦｏｒｗａｒｄＣｈａｎｎｅｌｓフィールドは、全てのアクティブセクタに割り当てたＣＤＭＡチャネル（ＦＡ）の総数を意味する。
【００３３】
また、トラヒックチャネル割り当てメッセージは、各アクティブセクタに関する情報、すなわち、各アクティブセクタのパイロットＰＮコードに関する情報及びＤＲＣカバーに関する情報を含む。表４の例において、ＰＮコードに関する情報は、ＰｉｌｏｔＰＮフィールドを利用して示し、ＤＲＣカバーに関する情報は、ＤＲＣＣｏｖｅｒフィールドを利用して示す。
【００３４】
また、トラヒックチャネル割り当てメッセージは、各ＣＤＭＡチャネル（ＦＡ）に割り当てられたアクティブセクタに関する情報を有する。すなわち、表４の例において、ＡｓｓｉｇｎｅｄＣｈａｎｎｅｌフィールドは、特定ＣＤＭＡチャネル（ＦＡ）を意味する。また、ＮｕｍＡｓｓｉｇｎｅｄＳｅｃｔｏｒｓは、前記特定ＣＤＭＡチャネル（ＦＡ）に割り当てられたアクティブセクタの数を意味する。さらに、前記アクティブセクタに関する情報の量（数）は、前記アクティブセクタの総数に該当する。また、表４の例において、ＡｓｓｉｇｎｅｄＳｅｃｔｏｒＩｎｄｅｘフィールドは、特定ＣＤＭＡチャネル（ＦＡ）に割り当てられたアクティブセクタを示し、ＴｒａｆｆｉｃＭＡＣＩｎｄｅｘフィールドは、前記ＣＤＭＡチャネル（ＦＡ）が割り当てられる移動局のパケットサービスのためのインデックスを意味する。ＭＡＣＩｎｄｅｘは、前記ＣＤＭＡチャネル（ＦＡ）が割り当てられる逆方向リンクの電力制御のためのＭＡＣ  Ｉｎｄｅｘを意味する。
【００３５】
表４の例のように、トラヒックチャネル割り当てメッセージは、前記特定ＣＤＭＡチャネル（ＦＡ）に基づき、前記特定ＣＤＭＡチャネル（ＦＡ）が割り当てられた各アクティブセクタに関する情報（すなわち、表４におけるＡｓｓｉｇｎｅｄＳｅｃｔｏｒＩｎｄｅｘ〜ＭＡＣＩｎｄｅｘ）だけでなく、前記特定ＣＤＭＡチャネル（ＦＡ）が割り当てられた各アクティブセクタに関する情報（すなわち、表４におけるＡｓｓｉｇｎｅｄＳｅｃｔｏｒＩｎｄｅｘ〜ＭＡＣＩｎｄｅｘ）も含む。
【００３６】
前述された方法を用いることにより、トラヒックチャネル割り当てメッセージは、各ＣＤＭＡチャネル（ＦＡ）にＣＤＭＡチャネル（ＦＡ）に関する情報（すなわち、表４におけるＡｓｓｉｇｎｅｄＣｈａｎｎｅｌ〜ＮｕｍＡｓｓｉｇｎｅｄＳｅｃｔｏｒｓ）と、ＣＤＭＡチャネル（ＦＡ）が割り当てられたアクティブセクタに関する情報（すなわち、表４におけるＡｓｓｉｇｎｅｄＳｅｃｔｏｒＩｎｄｅｘ〜ＭＡＣＩｎｄｅｘ）を含む。
【００３７】
以下、表４に示すトラヒックチャネル割り当てメッセージを採用することにより、図２及び図３のようなＣＤＭＡチャネル（ＦＡ）割り当て方法を示す。
【００３８】
まず、ＦＡが割り当てられる４つのアクティブセクタがあるので、ＮｕｍＳｅｃｔｏｒｓフィールドは４の値を有する。割り当てられたＦＡの総数が３であるので、ＮｕｍＦｏｒｗａｒｄＣｈａｎｎｅｌｓフィールドは３の値を有する。４つのアクティブセクタのそれぞれは、ＰｉｌｏｔＰＮフィールド及びＤＲＣＣｏｖｅｒフィールドを含むアクティブセクタ情報を含む。
【００３９】
また、最初に、ＦＡ１に対応するＡｓｓｉｇｎｅｄＣｈａｎｎｅｌフィールド値が含まれる。ＦＡ１は、セクタ１、セクタ３、及びセクタ４に割り当てられるので、ＮｕｍＡｓｓｉｇｎｅｄＳｅｃｔｏｒｓフィールドは３の値を有する。一方、ＡｓｓｉｇｎｅｄＳｅｃｔｏｒＩｎｄｅｘフィールド〜ＭＡＣＩｎｄｅｘフィールド値は、前記ＦＡ１が割り当てられたセクタの総数に対応して含まれる。すなわち、セクタ１、セクタ３、及びセクタ４に対するＡｓｓｉｇｎｅｄＳｅｃｔｏｒＩｎｄｅｘフィールド〜ＭＡＣＩｎｄｅｘフィールドが含まれる。
【００４０】
さらに、ＦＡ２に対応するＡｓｓｉｇｎｅｄＣｈａｎｎｅｌフィールド値が含まれる。ＦＡ２は、セクタ１、セクタ２、及びセクタ４に割り当てられるので、ＮｕｍＡｓｓｉｇｎｅｄＳｅｃｔｏｒｓフィールドは３の値を有する。一方、ＡｓｓｉｇｎｅｄＳｅｃｔｏｒＩｎｄｅｘフィールド〜ＭＡＣＩｎｄｅｘフィールド値はＦＡ２が割り当てられたセクタの総数に対応して含まれる。すなわち、セクタ１、セクタ２、及びセクタ４に対するＡｓｓｉｇｎｅｄＳｅｃｔｏｒＩｎｄｅｘフィールド〜ＭＡＣＩｎｄｅｘフィールドが含まれる。
【００４１】
さらに、ＦＡ３に対応するＡｓｓｉｇｎｅｄＣｈａｎｎｅｌフィールド値が含まれる。ＦＡ３は、セクタ２及びセクタ４に割り当てられるので、ＮｕｍＡｓｓｉｇｎｅｄＳｅｃｔｏｒｓフィールドは２の値を有する。一方、ＡｓｓｉｇｎｅｄＳｅｃｔｏｒＩｎｄｅｘフィールド〜ＭＡＣＩｎｄｅｘフィールド値はＦＡ３が割り当てられたセクタの総数に対応して含まれる。すなわち、セクタ２及びセクタ４に対するＡｓｓｉｇｎｅｄＳｅｃｔｏｒＩｎｄｅｘフィールド〜ＭＡＣＩｎｄｅｘフィールドが含まれる。
【００４２】
前述したように、トラヒックチャネル割り当てメッセージは、各ＣＤＭＡチャネル（ＦＡ）に割り当てられるセクタに関する情報を表現することができ、各セクタに割り当てられるＣＤＭＡチャネル（ＦＡ）に関する情報を表現することもできる。
【００４３】
本発明の結果として、ＣＤＭＡチャネル（周波数割り当て：ＦＡ）は、各アクティブセクタの状況に適するように独立して割り当てられるので、より効率的な無線リソースの活用が可能である。
【００４４】
本発明は、２つ以上のＣＤＭＡチャネルを利用して通信を行う移動通信システムに適用できるＣＤＭＡチャネル割り当て方法を提供し、前記方法は、特定移動局に対応する各アクティブセクタに対して、独立した方式でＣＤＭＡチャネルを割り当て、各アクティブセクタが少なくとも１つのＣＤＭＡチャネルをそれぞれ割り当てる段階と、前記割り当てられた周波数割り当てを利用してパケットデータを伝送する段階とを含む。
【００４５】
前記方法は、２つ以上のチャネルに関する情報及びＣＤＭＡチャネルが割り当てられたアクティブセクタに関する情報を含むメッセージを送信する段階をさらに含む。前記メッセージは、トラヒックチャネル割り当てメッセージである。前記トラヒックチャネル割り当てメッセージは、アクティブセクタの数及びＣＤＭＡチャネルの数に関する情報を含む。前記トラヒックチャネル割り当てメッセージは、各アクティブセクタに関するパイロットＰＮ情報及びＤＲＣカバー情報をさらに含む。前記トラヒックチャネル割り当てメッセージは、各ＣＤＭＡチャネルに関する情報及び１つ以上のＣＤＭＡチャネルが割り当てられたアクティブセクタに関する情報をさらに含む。前記トラヒックチャネル割り当てメッセージは、各アクティブセクタに関する情報及び各アクティブセクタに割り当てられる各ＣＤＭＡチャネルに関する情報をさらに含む。前記移動通信システムは、Ｎｘ  Ｈｉｇｈ  Ｒａｔｅ  Ｐａｃｋｅｔ  Ｄａｔａシステムである。割り当てられた複数のＣＤＭＡチャネルのうち１つは、フォワードリンク制御信号の伝送のために選択されて利用される。
【００４６】
また、本発明は、移動局に対して、２つ以上のＣＤＭＡチャネルを利用して通信を行う移動通信システムに適用できるＣＤＭＡチャネル割り当て方法を提供し、前記方法は、前記移動局のアクティブセクタの第１セクタにＣＤＭＡチャネルの第１セットを割り当てる段階と、前記移動局のアクティブセクタの第２セクタにＣＤＭＡチャネルの第２セットを割り当てる段階と、前記割り当てられたＣＤＭＡチャネルを利用してパケットを伝送する段階とを含む。
【００４７】
前記方法は、前記割り当てられたＣＤＭＡチャネルに関する情報を含むトラヒックチャネル割り当てメッセージを送信する段階をさらに含む。前記トラヒックチャネル割り当てメッセージは、アクティブセルの数及びＣＤＭＡチャネルの数に関する情報を含む第１パートと、各アクティブセクタの情報を含む第２パートと、各ＣＤＭＡチャネルに割り当てられたアクティブセクタの情報を含む第３パートとを含む。前記トラヒックチャネル割り当てメッセージは、アクティブセルの数及びＣＤＭＡチャネルの数に関する情報を含む第１パートと、各アクティブセクタの情報を含む第２パートと、各アクティブセクタに割り当てられるＣＤＭＡチャネルの情報を含む第３パートとを含む。前記方法は、前記アクティブセクタを含むアクティブセクタリストを更新する段階と、前記更新されたアクティブセクタに割り当てられたＣＤＭＡチャネルの情報を含むトラヒックチャネル割り当てメッセージを送信する段階とをさらに含む。割り当てられた複数のＣＤＭＡチャネルのうち１つは、フォワードリンク制御信号の伝送のために選択されて利用される。
【００４８】
さらに、本発明は、２つ以上のＣＤＭＡチャネルを利用して通信を行う移動通信システムに適用できるＣＤＭＡチャネル割り当て方法を提供し、前記方法は、特定移動局に対応する各アクティブセクタに対して独立して割り当てられたＣＤＭＡチャネルに関する情報を含むトラヒックチャネル割り当てメッセージを受信する段階と、前記受信されたトラヒックチャネル割り当てメッセージによって前記ＣＤＭＡチャネルを利用して基地局からパケットデータを受信する段階とを含む。
【００４９】
また、本発明は、移動通信ネットワークで信号を送受信する送受信機と、前記移動局に対応する各アクティブセクタに対して前記ネットワークにより独立して割り当てられたトラヒックチャネルに関する情報を前記送受信機により受信し、前記受信された情報に基づいて前記送受信機により、前記トラヒックチャネルを利用して前記ネットワークからパケットデータを受信するプロセッサとを含む移動局を提供する。
【００５０】
前記アクティブセクタは、単一セルの１つ以上の領域、又は２つ以上の異なるセルの１つ以上の領域の組み合わせを意味し、前記アクティブセクタは、前記移動局への最強リンクを有し、高速セル選択方法を可能にする。前記情報は、トラヒックチャネル割り当てを示すメッセージにより前記ネットワークから受信される。前記プロセッサは、前記送受信機と連動して高速データレートサービスを管理できるＣＤＭＡチャネルの総数を示すメッセージを前記ネットワークから受信し、前記受信は、トラヒックチャネル割り当てを示すメッセージの受信前に行われる。前記プロセッサは、前記送受信機と連動して前記アクティブセクタに関する情報を含むメッセージを前記ネットワークに送信し、前記送信は、トラヒックチャネル割り当てを示すメッセージの受信前に行われる。前記送信は、ＣＤＭＡチャネルの総数を示す前記受信されたメッセージに応えて行われる。前記送信は、前記移動局がアイドルモードから接続状態に移行する場合、又は、前記接続状態でアクティブセクタリストが更新される場合に行われる。前記移動通信ネットワークは、ＣＤＭＡネットワークであり、前記トラヒックチャネルは、ＣＤＭＡチャネルである。前記割り当てられた複数のトラヒックチャネルのうち１つのトラヒックチャネルが、各アクティブセクタのために前記ネットワークにより独立して選択され、制御信号を受信するために利用される。
【００５１】
前述した本発明の特徴は、少なくとも３ＧＰＰ２標準に関する。すなわち、３ＧＰＰ２  ＴＳＧ−Ｃ  ＷＧ３  Ｃ．Ｓ００２４−Ｂ、及びそれに関連したセクション又は部分だけでなく、現在開発中の改善されたものも本発明に関する。本発明の特徴は、所定の用語及びラベルを用いて説明するが、このようなラベリング及び用語は単なる例示にすぎず、現在又は将来の議論の結果によって変更される（又は、後に明白になる）ことが明らかに理解されるであろう。
【００５２】
また、本発明の特徴は、多様な製品に適用できる。一例としてはｃｄｍａ２０００１ｘ  ＥＶ−ＤＯ  ＨＲＰＤ  Ｒｅｖ．Ｂをサポートする移動局及び／又はネットワークを挙げることができるが、これに限定されるものではない。さらに、他にも適用され得るということは明らかに理解されるであろう。
【００５３】
本明細書は本発明の多様な実施形態を例示的に説明する。本発明の特許請求の範囲は本明細書に記述された例示的な実施形態の多様な変形及び均等物を含むものである。従って、本発明の特許請求の範囲は記述された本発明の思想及び範囲内で行われる変形、均等物、及び特徴を包むように広く解釈されるべきである。
【図面の簡単な説明】
【００５４】
【図１】本発明の一実施形態による移動局と基地局間のメッセージ送受信過程の一例を示すフローチャートである。
【図２】本発明の一実施形態による３つのセルから割り当てられて４つのセクタを有するアクティブセクタの一例を示す図である。
【図３】本発明の一実施形態による各セクタに対する独立した方式でＣＤＭＡチャネル（周波数割り当て：ＦＡ）割り当て方法の一例を示す図である。
【図１】
2009505558.tif 000011
【図２】
2009505558.tif 000012
【図３】
2009505558.tif 000013
【手続補正書】
【提出日】平成20年2月19日(2008.2.19)
【手続補正１】
【補正対象書類名】特許請求の範囲
【補正対象項目名】全文
【補正方法】変更
【補正の内容】
【特許請求の範囲】
【請求項１】
２つ以上のＣＤＭＡチャネルを利用して通信を行う移動通信システムに適用できるＣＤＭＡチャネル割り当て方法において、
特定移動局に対応する各アクティブセクタに対して、独立した方式でＣＤＭＡチャネルを割り当て、各アクティブセクタが少なくとも１つのＣＤＭＡチャネルをそれぞれ割り当てる段階と、
前記割り当てられたＣＤＭＡチャネルを利用してパケットデータを伝送する段階と
を含むことを特徴とするＣＤＭＡチャネル割り当て方法。
【請求項２】
２つ以上のチャネルに関する情報及びＣＤＭＡチャネルが割り当てられたアクティブセクタに関する情報を含むメッセージを送信する段階をさらに含むことを特徴とする請求項１に記載のＣＤＭＡチャネル割り当て方法。
【請求項３】
前記メッセージは、
トラヒックチャネル割り当てメッセージであることを特徴とする請求項２に記載のＣＤＭＡチャネル割り当て方法。
【請求項４】
前記トラヒックチャネル割り当てメッセージは、
アクティブセクタの数及びＣＤＭＡチャネルの数に関する情報を含むことを特徴とする請求項３に記載のＣＤＭＡチャネル割り当て方法。
【請求項５】
前記トラヒックチャネル割り当てメッセージは、
各アクティブセクタに関するパイロットＰＮ情報及びＤＲＣカバー情報をさらに含むことを特徴とする請求項４に記載のＣＤＭＡチャネル割り当て方法。
【請求項６】
前記トラヒックチャネル割り当てメッセージは、
各ＣＤＭＡチャネルに関する情報及び１つ以上のＣＤＭＡチャネルが割り当てられたアクティブセクタに関する情報をさらに含むことを特徴とする請求項５に記載のＣＤＭＡチャネル割り当て方法。
【請求項７】
前記トラヒックチャネル割り当てメッセージは、
各アクティブセクタに関する情報及び各アクティブセクタに割り当てられる各ＣＤＭＡチャネルに関する情報をさらに含むことを特徴とする請求項５に記載のＣＤＭＡチャネル割り当て方法。
【請求項８】
前記移動通信システムは、
Ｎｘ  Ｈｉｇｈ  Ｒａｔｅ  Ｐａｃｋｅｔ  Ｄａｔａシステムであることを特徴とする請求項１に記載のＣＤＭＡチャネル割り当て方法。
【請求項９】
割り当てられた複数のＣＤＭＡチャネルのうち１つは、
フォワードリンク制御信号の伝送のために選択されて利用されることを特徴とする請求項１に記載のＣＤＭＡチャネル割り当て方法。
【請求項１０】
２つ以上のＣＤＭＡチャネルを利用して通信を行う移動通信システムに適用できるＣＤＭＡチャネル割り当て方法において、
前記移動局のアクティブセクタのセクタにＣＤＭＡチャネルのセットを割り当てる段階と、
記割り当てられたＣＤＭＡチャネルを利用してパケットを伝送する段階と
を含むことを特徴とするＣＤＭＡチャネル割り当て方法。
【請求項１１】
前記割り当てられたＣＤＭＡチャネルに関する情報を含むトラヒックチャネル割り当てメッセージを送信する段階をさらに含むことを特徴とする請求項１０に記載のＣＤＭＡチャネル割り当て方法。
【請求項１２】
前記トラヒックチャネル割り当てメッセージは、
アクティブセルの数及びＣＤＭＡチャネルの数に関する情報を含む第１パートと、
各アクティブセクタの情報を含む第２パートと、
各ＣＤＭＡチャネルに割り当てられたアクティブセクタの情報を含む第３パートとを含むことを特徴とする請求項１１に記載のＣＤＭＡチャネル割り当て方法。
【請求項１３】
前記トラヒックチャネル割り当てメッセージは、
アクティブセルの数及びＣＤＭＡチャネルの数に関する情報を含む第１パートと、
各アクティブセクタの情報を含む第２パートと、
各アクティブセクタに割り当てられるＣＤＭＡチャネルの情報を含む第３パートとを含むことを特徴とする請求項１２に記載のＣＤＭＡチャネル割り当て方法。
【請求項１４】
前記アクティブセクタを含むアクティブセクタリストを更新する段階と、
前記更新されたアクティブセクタに割り当てられたＣＤＭＡチャネルの情報を含むトラヒックチャネル割り当てメッセージを送信する段階とをさらに含むことを特徴とする請求項１０に記載のＣＤＭＡチャネル割り当て方法。
【請求項１５】
割り当てられた複数のＣＤＭＡチャネルのうち１つは、
フォワードリンク制御信号の伝送のために選択されて利用されることを特徴とする請求項１０に記載のＣＤＭＡチャネル割り当て方法。
【請求項１６】
２つ以上のＣＤＭＡチャネルを利用して通信を行う移動通信システムに適用できるＣＤＭＡチャネル割り当て方法において、
特定移動局に対応する各アクティブセクタに対して独立して割り当てられたＣＤＭＡチャネルに関する情報を含むトラヒックチャネル割り当てメッセージを受信する段階と、
前記受信されたトラヒックチャネル割り当てメッセージによって前記ＣＤＭＡチャネルを利用して基地局からパケットデータを受信する段階と
を含むことを特徴とするＣＤＭＡチャネル割り当て方法。
【請求項１７】
移動通信ネットワークで信号を送受信する送受信機と、
前記移動局に対応する各アクティブセクタに対して前記ネットワークにより独立して割り当てられたトラヒックチャネルに関する情報を前記送受信機により受信し、前記受信された情報に基づいて前記送受信機により、前記トラヒックチャネルを利用して前記ネットワークからパケットデータを受信するプロセッサと
を含むことを特徴とする移動局。
【請求項１８】
前記アクティブセクタは、単一セルの１つ以上の領域、又は２つ以上の異なるセルの１つ以上の領域の組み合わせを意味し、前記アクティブセクタは、前記移動局への最強リンクを有し、高速セル選択方法を可能にすることを特徴とする請求項１７に記載の移動局。
【請求項１９】
前記情報は、
トラヒックチャネル割り当てを示すメッセージにより前記ネットワークから受信されることを特徴とする請求項１８に記載の移動局。
【請求項２０】
前記プロセッサは、
前記送受信機と連動して高速データレートサービスを管理できるＣＤＭＡチャネルの総数を示すメッセージを前記ネットワークから受信し、前記受信は、トラヒックチャネル割り当てを示すメッセージの受信前に行われることを特徴とする請求項１９に記載の移動局。
【請求項２１】
前記プロセッサは、
前記送受信機と連動して前記アクティブセクタに関する情報を含むメッセージを前記ネットワークに送信し、前記送信は、トラヒックチャネル割り当てを示すメッセージの受信前に行われることを特徴とする請求項２０に記載の移動局。
【請求項２２】
前記送信は、
ＣＤＭＡチャネルの総数を示す前記受信されたメッセージに応えて行われることを特徴とする請求項２１に記載の移動局。
【請求項２３】
前記送信は、
前記移動局がアイドルモードから接続状態に移行する場合、又は、前記接続状態でアクティブセクタリストが更新される場合に行われることを特徴とする請求項２２に記載の移動局。
【請求項２４】
前記移動通信ネットワークは、ＣＤＭＡネットワークであり、前記トラヒックチャネルは、ＣＤＭＡチャネルであることを特徴とする請求項１７に記載の移動局。
【請求項２５】
前記割り当てられた複数のトラヒックチャネルのうち１つのトラヒックチャネルが、
各アクティブセクタのために前記ネットワークにより独立して選択され、制御信号を受信するために利用されることを特徴とする請求項１７に記載の移動局。
【国際調査報告】
2009505558.tif 000014
2009505558.tif 000015